(57)【要約】【課題】通水試験の作業効率を高め、労力の軽減を図り、配管への給水量を正確に把握し、設備工事の信頼性を高める。【解決手段】本発明は、検査対象の配管内に通水して該配管からの漏水の有無を検査するための通水試験装置１０であって、水を貯留する貯水タンク１３と、貯水タンク１３内の水を圧送して前記配管内に給水するポンプ１４と、ポンプ１４からの給水量を検出する流量センサー２７と、ポンプ１４からの給水量を所定量に設定するリモートコントローラ１７と、流量センサー２７により検出された給水量がリモートコントローラ１７により設定された所定量に達すると判断した時にポンプ１４を停止させる制御器４２とを備えていることを特徴とする。【選択図】図１
2010078454.tif 000002
【特許請求の範囲】
【請求項１】
検査対象の配管内に通水して該配管からの漏水の有無を検査するための通水試験装置であって、
水を貯留する貯水タンクと、
該貯水タンク内の水を圧送して前記配管内に給水するポンプと、
前記ポンプからの給水量を検出する流量センサーと、
前記ポンプからの給水量を所定量に設定するリモートコントローラと、
前記流量センサーにより検出された給水量が前記リモートコントローラにより設定された所定量に達すると判断した時に前記ポンプを停止させる制御器と、
を備えていることを特徴とする通水試験装置。
【請求項２】
前記貯水タンクは２つの貯水容器をホース及びワンタッチカプラで連結することにより一体に設けられている請求項１に記載の通水試験装置。
【請求項３】
前記制御器と、前記ポンプを駆動するためのバッテリーと、該バッテリーを充電するための充電器と、前記バッテリーの電圧を変換するためのコンバータとを一体に収納する制御ボックスを備えている請求項１又は２に記載の通水試験装置。
【請求項４】
前記流量センサーは前記ポンプの吐出管に取り付けられ、該吐出管と前記ポンプ及び流量センサーによりポンプユニットが構成されている請求項１〜３のいずれか１の請求項に記載の通水試験装置。
【請求項５】
前記流量センサーの下流側には所定の長さを有するホースが着脱可能に設けられ、該ホースの先端に開閉バルブ及びノズルが取り付けられ、前記ホースと前記開閉バルブ及びノズルにより注水ユニットが構成されている請求項１〜４のいずれか１の請求項に記載の通水試験装置。
【請求項６】
前記リモートコントローラは前記制御器に有線接続されており、前記ポンプからの実際の給水量を目視で確認可能な実際給水量表示部と、前記ポンプを始動させるための運転操作部と、前記ポンプからの給水量を設定するための給水量設定部とを備えている請求項１〜５のいずれか１の請求項に記載の通水試験装置。
【請求項７】
請求項１〜６に記載の部品が台車に取り付けられていることを特徴とする通水試験装置。
【発明の詳細な説明】
【技術分野】
【０００１】
本発明は、検査対象の配管内に通水して該配管からの漏水の有無を検査するための通水試験装置に関する。
【背景技術】
【０００２】
一般に、建築物の空調設備工事や給排水衛生設備工事の最終施工段階において、空調機のドレン配管や衛生設備の排水管からの漏水の有無を検査するために通水試験が行われる。
【０００３】
従来のこの種の通水試験を行うための装置としては、例えば、空調機の側面に接続された排水接続口の開口にロート状の給水口を装着し、ペットボトル等の容器内に入れた水をこの給水口から注いでドレン管の通水試験を行う容器給水方式の通水試験装置や（例えば、特許文献１参照）、或いは貯水容器に設置したバスポンプ等によって該貯水容器内の水を圧送して空調機に注ぎ、該空調機のドレン管の通水試験を行うポンプ給水方式の通水試験装置などが知られている。
【特許文献１】特開平５−７９６５２号公報
【発明の開示】
【発明が解決しようとする課題】
【０００４】
しかしながら、上記した従来の容器給水方式の通水試験装置では、水を入れた容器を複数用意し、各容器内の水をそれぞれ給水口からドレン管内に注ぐ必要があるため、作業効率が悪いと共に、多大な労力が掛かるといった問題があった。特に、天井内等の高所に設置されたドレン管に対して通水試験を行う場合には、作業員が脚立等の足場を何度も登り降りする必要があるため、この問題は深刻であった。
【０００５】
また、上記した従来のポンプ給水方式の通水試験装置においても、通水試験を行う際に、バスポンプを操作する作業員と空調機に水を注ぐ作業員の少なくとも２人の作業員が必要となるため、同様に、作業効率が悪く、多大な労力が掛かるといった問題があった。
【０００６】
さらに、通水試験の仕様書では、所定流量の水を試験対象の配管内に流すように規定されているが、容器給水方式の通水試験装置では、通水量を正確に把握するのが難しく、また、上記した従来のポンプ給水方式の通水試験装置では、バスポンプからの給水量を把握することができないため、作業員の経験や感覚によって配管内に通水せざるを得ず、通水作業が作業員の熟練度に依存しがちであった。したがって、仕様書に準拠した通水試験を確実に行うことが難しく、設備工事の信頼性を高めることができないといった問題があった。
【０００７】
本発明は上記した課題を解決すべくなされたものであり、通水試験の作業効率を高め、労力の軽減を図り、配管への給水量を正確に把握することができ、設備工事の信頼性を高めることのできる通水試験装置を提供することを目的とするものである。
【課題を解決するための手段】
【０００８】
本発明は、検査対象の配管内に通水して該配管からの漏水の有無を検査するための通水試験装置であって、水を貯留する貯水タンクと、該貯水タンク内の水を圧送して前記配管内に給水するポンプと、前記ポンプからの給水量を検出する流量センサーと、前記ポンプからの給水量を所定量に設定するリモートコントローラと、前記流量センサーにより検出された給水量が前記リモートコントローラにより設定された所定量に達すると判断した時に前記ポンプを停止させる制御器とを備えていることを特徴とする。
【０００９】
そして、前記貯水タンクは２つの貯水容器をホース及びワンタッチカプラで連結することにより一体に設けられているのが好ましい。
【００１０】
また、前記制御器と、前記ポンプを駆動するためのバッテリーと、該バッテリーを充電するための充電器と、前記バッテリーの電圧を変換するためのコンバータとを一体に収納する制御ボックスを備えているのが好ましい。
【００１１】
さらに、前記流量センサーは前記ポンプの吐出管に取り付けられ、該吐出管と前記ポンプ及び流量センサーによりポンプユニットが構成されているのが好ましい。
【００１２】
さらにまた、前記流量センサーの下流側には所定の長さを有するホースが着脱可能に設けられ、該ホースの先端に開閉バルブ及びノズルが取り付けられ、前記ホースと前記開閉バルブ及びノズルにより注水ユニットが構成されているのが好ましい。
【００１３】
さらに、前記リモートコントローラは前記制御器に有線接続されており、前記ポンプからの実際の給水量を目視で確認可能な実際給水量表示部と、前記ポンプを始動させるための運転操作部と、前記ポンプからの給水量を設定するための給水量設定部とを備えているのが好ましい。
【００１４】
さらに、上記した各部品が台車に取り付けられているのが好ましい。
【発明の効果】
【００１５】
本発明によれば、通水試験の作業効率を高めると共に、労力の軽減を図ることができる。また、通水試験において配管への給水量を正確に把握することができるため、設備工事の信頼性を高めることができる。
【発明を実施するための最良の形態】
【００１６】
以下、図面を参照しつつ、本発明の実施の形態について説明する。ここで、図１は本発明の実施の形態に係る通水試験装置を示す模式図、図２は同実施の形態に係る通水試験装置を示す斜視図、図３は同実施の形態に係る通水試験装置の貯水タンクを示す平面図、図４は同実施の形態に係る通水試験装置のポンプユニットを示す正面図、図５は同実施の形態に係る通水試験装置のポンプの給水性能を示す図、図６は同実施の形態に係る通水試験装置の注水ユニットを示す平面図、図７は同実施の形態に係る通水試験装置の制御ボックス（蓋を開放した状態）を示す平面図、図８は同実施の形態に係る通水試験装置のリモートコントローラを示す平面図である。
【００１７】
この通水試験装置１０は、台車１１上に支持フレーム１２を介して載置される貯水タンク１３と、貯水タンク１３内の水を圧送して検査対象の配管内に給水するポンプ１４を有するポンプユニット１５と、ポンプ１４を制御する制御器４２を有する制御ボックス１６と、制御器４２を操作するためのリモートコントローラ１７とを備えて構成されている。
【００１８】
支持フレーム１２は、例えばアルミ製で、貯水タンク１３の載置部１８の下方に制御ボックス１６を収容可能なように形成されており、台車１１上に固定されている。
【００１９】
貯水タンク１３は、図３に良く示されているように、例えば合成樹脂製の雨水タンクから成る２つの貯水容器１９，２０をホース２１及びワンタッチカプラ２２で連結することにより一体に形成されている。そして、貯水容器１９，２０の容量は、それぞれ５０リットル程度の同一容量にしたり、或いはそれぞれ異なる容量にしたりしてもよく、いずれか一方又は両方のタンクを変更することにより貯水量を任意に増減させることができる。また、いずれか一方の貯水容器１９には水位計２３が設置されており、水位計２３は貯水タンク１３の外部から貯水タンク１３の水位を目視可能なように取り付けられている。
【００２０】
図４に示すように、ポンプ１４はいずれか一方の貯水容器１９の内部において架台２４上に搭載された水中ポンプであり、例えば図５に示すような給水性能を備えている。そして、このポンプ１４の吐出管２５にはポンプ１４側から順次、逆止弁２６、流量センサー２７が取り付けられ、この逆止弁２６及び流量センサー２７が、ポンプ１４の電源ケーブル２８や流量センサー２７の制御ケーブル２９と共に、架台２４上に立設された棒状部材３０に支持されてポンプユニット１５が構成されている。
【００２１】
流量センサー２７の下流側（図４では上方）には、所定の長さを有するホース３１（例えば、内径１０ｍｍ、外径１６ｍｍ）が着脱可能に設けられ、このホース３１の先端に開閉バルブ３２及びなまし銅管製ノズル３３（例えば、内径６ｍｍ、外径８ｍｍ）が取り付けられ、図６に示されているように、ホース３１と開閉バルブ３２及びノズル３３によって注水ユニット３４が構成されている。
【００２２】
図７に示されているように、制御ボックス１６には、制御器４２であるマイコンの他に、ポンプ１４を駆動するためのバッテリー３５と、バッテリー３５を充電するための充電器３６と、バッテリー３５の電圧を変換するためのＡＣ／ＤＣコンバータ３７、ＡＣコードリール４３とが一体に収納されており、制御ボックス１６は貯水タンク１３の載置部１８の下方において台車１１上に固定される。また、制御ボックス１６には、バッテリー３５の電圧を監視し、この電圧が所定値以下に低下した時に警報を発する機能を備えており、これにより過放電によるバッテリー３５の破損を防止することができる。
【００２３】
リモートコントローラ１７は、制御器４２に有線接続されており、図８に良く示されているように、縦方向に順次、実際給水量表示部３８、運転操作部３９、給水量設定部４０、及びリセット操作部４１が配設されて構成されている。実際給水量表示部３８は、１０個のＬＥＤ（Light-Emitting Diode）が連続して並設されることにより構成され、ポンプ１４からの実際の給水量を目視で確認可能となっている。また、運転操作部３９は赤色釦により構成され、押下することによりポンプ１４を始動可能となっている。さらに、給水量設定部４０はダイヤル方式であり、予め設定された流量（例えば、０．５，１，３，５リットル）にダイヤルを合わせることによりポンプ１４からの給水量を設定可能となっており、リセット操作部４１は白色釦により構成され、押下することによりポンプ１４を再起動可能となっている。
【００２４】
次に、上記した本発明の実施の形態に係る通水試験装置１０の作用について説明する。
【００２５】
先ず、通水試験の作業員が台車１１を手押しして通水試験装置１０を検査対象の配管の工事場所に移動させる。そして、リモートコントローラ１７の給水量設定部４０を所望な流量に合わせた上で、注水ユニット３４のホース３１を流量センサーの下流側に装着し、作業員はリモートコントローラ１７を保持しながらノズル３３の先端を前記配管の給水箇所に挿入し、開閉バルブ３２を開放する。
【００２６】
この状態で、作業員がリモートコントローラ１７の運転操作部３９を押下すると、ポンプ１４が始動する。ポンプ１４は、貯水タンク１３内の水を圧送し、所定量の水を吐出管２５、ホース３１及びノズル３３を介して前記配管内に供給する。この時、制御器４２は流量センサー２７により検出された給水量が給水量設定部４０により設定された流量に達すると判断した時にポンプ１４を停止させる。また、この時、作業員はポンプ１４から実際に給水されている流量を実際給水量表示部３８によって目視で確認しながら通水することも可能である。
【００２７】
このように上記した本発明の実施の形態に係る通水試験装置１０によれば、作業員の熟練度に拘らず、仕様書に規定されている所定流量の水を前記配管内に正確に供給することができるため、仕様書に準拠した通信試験を確実に実施することができ、設備工事の信頼性を高めることができる。
【００２８】
また、上記した一連の通水作業を１人の作業員で一度に行うことができるため、作業効率を高めることができると共に、通水作業の労力を大幅に軽減することができるといった効果を得ることができる。そして、このような効果は、前記配管が天井内等の高所に設置されている場合には特に顕著である。
【図面の簡単な説明】
【００２９】
【図１】本発明の実施の形態に係る通水試験装置を示す模式図である。
【図２】本発明の実施の形態に係る通水試験装置を示す斜視図である。
【図３】本発明の実施の形態に係る通水試験装置の貯水タンクを示す平面図である。
【図４】本発明の実施の形態に係る通水試験装置のポンプユニットを示す正面図である。
【図５】本発明の実施の形態に係る通水試験装置のポンプの給水性能を示す図である。
【図６】本発明の実施の形態に係る通水試験装置の注水ユニットを示す平面図である。
【図７】本発明の実施の形態に係る通水試験装置の制御ボックスを示す平面図である。
【図８】本発明の実施の形態に係る通水試験装置のリモートコントローラを示す平面図である。
【符号の説明】
【００３０】
１０          通水試験装置
１１          台車
１３          貯水タンク
１４          ポンプ
１５          ポンプユニット
１６          制御ボックス
１７          リモートコントローラ
１９，２０    貯水容器
２１          ホース
２２          ワンタッチカプラ
２５          吐出管
２７          流量センサー
３１          ホース
３２          開閉バルブ
３３          ノズル
３４          注水ユニット
３５          バッテリー
３６          充電器
３７          コンバータ
４２          制御器
３８          実際給水量表示部
４０          給水量設定部
【図１】
2010078454.tif 000003
【図２】
2010078454.tif 000004
【図３】
2010078454.tif 000005
【図４】
2010078454.tif 000006
【図５】
2010078454.tif 000007
【図６】
2010078454.tif 000008
【図７】
2010078454.tif 000009
【図８】
2010078454.tif 000010